(57)【特許請求の範囲】
【請求項１】
走行用の車輪が設けられた枠体支持台に上下方向に延びる２つの連結パイプを相互に平行に取り付け、
２つの支柱パイプ間の下端部を下側横連結部材で、前記支柱パイプ間の上端部を前記支柱パイプよりも外方に突出させて足場板支持部を有する上側連結部が設けられた上側横連結部材で枠状に連結してなる支持枠体を、前記連結パイプに上下方向に位置調整自在に嵌合させて枠組立体を形成し、
前記枠組立体を２組相互に対面配置させて筋交いにより連結して足場組立体を形成し、
前記足場組立体を２組平行に配置し、
前記枠組立体を構成する支持枠体の上側横連結部材の上側連結部に連結させる上梁側連結部を両端に設けた上梁部材と、前記それぞれの足場組立体の支柱パイプに連結させる下梁側連結部を両端に設けた下梁部材と、前記上下の両梁部材を連結する縦連結部材とを備えた２つの連結枠体により前記２組の足場組立体を連結し、
相互に平行となった前記上側横連結部材相互間、および相互に平行になった上梁部材相互間にそれぞれ複数の足場板を配置するようになっており、
上側連結部が嵌合部に形成され、上梁側連結部が前記嵌合部に嵌合可能な突設部に形成され、且つ下梁側連結部が締結具に形成されていることを特徴とする足場ユニット。
【請求項２】
請求項１に記載の足場ユニットを複数台連結したことを特徴とする足場ユニット。
【請求項３】
請求項１に記載の足場ユニットにおいて、
足場ユニットを２組相互に間隔を隔てて配置し、前記２組の足場ユニットを相互に筋交いにより連結し、前記２組の足場ユニットの相互に平行になった前記上側横連結部材相互間、および相互に平行になった上梁部材相互間に複数の足場板を配置して足場本体を形成し、
前記それぞれの支柱パイプのうち、前記足場本体の外周部に位置する支柱パイプに手摺支柱を取り付け、前記手摺支柱に手摺桟を取り付けたことを特徴とする足場ユニット。
【請求項４】
請求項３に記載の足場ユニットにおいて、
足場ユニットの連結により構成された足場本体を複数台連結したことを特徴とする足場ユニット。
【発明の詳細な説明】
【０００１】
【発明の属する技術分野】
本発明は、建築現場の天井仕上げなどで使用する組立足場の技術に関する。
【０００２】
【従来の技術】
従来、天井や高所の壁面部分などの作業をする場合には、現場で各種長さのパイプをクランプで連結して枠組を形成し、この枠組の上に足場板を掛け渡して組立足場を形成していた。
【０００３】
【発明が解決しようとする課題】
しかし、かかる組立足場では、一度足場を組み上げるとその高さ調節ができない。そこで、任意高さの調整が行える組立式の足場の開発が望まれていた。
【０００４】
また、作業状況によっては、適宜足場面積の変更が必要となる場合もあるが、従来のクランプによる組立足場では、かかる足場面積の変更が面倒であった。速やかに足場面積の変更ができる組立足場の構成が求められていた。
【０００５】
さらに、従来の足場組立では、足場組立体を左右に連接して足場面積を広げようとすると、足場組立体の支柱の幅分隣接足場同士の間に隙間が発生し、作業安全上問題があった。かかる隙間をあけずに足場組立体を連接して足場面積の拡大が図れる技術が求められていた。
【０００６】
本発明の目的は、建設現場などに対応して、高さ調整のできる足場面積の広い移動可能な足場を簡単に組み立てることができる技術を提供することにある。
【０００７】
本発明の他の目的は、足場の組立に際して、隣接足場板間に不要の隙間をあけずに隣接させることができる技術を提供することにある。
【０００８】
本発明の前記ならびにその他の目的と新規な特徴は、本明細書の記述および添付図面から明らかになるであろう。
【０００９】
【課題を解決するための手段】
本願において開示される発明のうち、代表的なものの概要を簡単に説明すれば、以下のとおりである。
【００１０】
すなわち、走行用の車輪が設けられた枠体支持台に上下方向に延びる２つの連結パイプを相互に平行に取り付ける。この枠体支持台に、２つの支柱パイプの上端部間を上側横連結部材で、下端部間を下側横連結部材で連結して枠状に形成した支持枠体を取り付ける。取付けに際しては、支持枠体の２つの支柱パイプの下端側を、前記枠体支持台に取り付けた連結パイプと位置調整自在に嵌合させて連結すればよい。
【００１１】
このようにして枠体支持台と支持枠体とを組み立ててなる枠組立体を、２組相互に対面配置して筋交いにより連結して足場組立体を形成する。さらにこの足場組立体を２組用意し、２組の足場組立体を互いに足場板の掛け渡し方向に平行に配置して、それぞれの足場組立体の支持枠体同士を連結枠体で連結する。
【００１２】
連結枠体は、相互に水平方向に平行にされた上梁部材と下梁部材とを縦連結部材で枠状に形成しておき、上梁部材の両端の上梁側連結部と、支持枠体の上側横連結部材の支柱パイプより外方に突出させた上側連結部とで連結する。連結に際しては、例えば、一方の上梁側連結部を突設部に形成しておき、他方の上側連結部を嵌合部に形成しておけば、両者の嵌合により簡単に連結することができる。
【００１３】
また、下梁部材の両端側には締結具（例えば、クランプなど）を設けておき、この締結具で支持枠体の支柱パイプに締結する。このようにして２組の足場組立体を連結枠体で連結して、この状態で相互に平行となった前記上側横連結部材相互間、および相互に平行になった上梁部材相互間にそれぞれ複数の足場板を配置して足場ユニットを組み立てる。
【００１４】
さらに、かかる足場ユニットを２組相互に間隔をあけて配置し、前記２組の足場ユニットを相互に筋交いにより連結して、この２組の足場ユニットの平行になった上側横連結部材間、および上梁部材間に複数の足場板を配置してより足場面積の広い足場本体を構成することができる。また、かかる足場本体には、配置した足場板の周辺に手摺を設けるようにすればよい。
【００１５】
また、前記構成の足場ユニットの複数台を連結してもよい。あるいは、前記構成の足場ユニットを２組連結してなる足場本体を複数台連結することもできる。
【００１６】
【発明の実施の形態】
以下、本発明の実施の形態を図面に基づいて詳細に説明する。
【００１７】
本発明の実施の形態では、図１に示すように、足場ユニットＡを２組連結して構成される足場本体Ｂについて説明する。
【００１８】
本実施の形態の足場ユニットＡは、枠体支持台１０と、支持枠体２０と、筋交い３０と、連結枠体４０と、足場板５０とから構成されている。
【００１９】
枠体支持台１０は、図２（ａ）、（ｂ）に示すように、後記する支持枠体２０（図３）のほぼ間口幅に合わせた長さのＬ字型鋼１１の水平フランジ１１ａ面の両端側に、支持枠体２０の２本の支柱パイプ２１の間隔に合わせて、支柱パイプ２が立設できるように短い立設用パイプ１２が突設されている。
【００２０】
また、上記水平フランジ１１ａの左右の立設用パイプ１２の内側近傍下側に、走行用の車輪１３がそれぞれナット１３ａで止めて設けられ、足場ユニットＡの移動ができるようになっている。収納時には、ナット１３ａを外せば簡単に車輪１３の取外しができる。なお、車輪１３の取付け位置は、車輪１３が立設用パイプ１２の外側近傍下側になっても一向に構わない。
【００２１】
さらに、上記２本の立設用パイプ１２の側面内側には、図２（ｃ）に示すように、筋交い３０の係止用に筋交い係止用ピン１４が突設させられている。筋交い係止用ピン１４は、筋交い３０の一端側の偏平部分３１に設けた丸孔３２に丁度通せる程度の丸棒状に形成されている。
【００２２】
また、筋交い係止用ピン１４の端部側には、従来より知られている構造のバネ式の略三角形状のストッパー１４ａが突設させられ、筋交い３０の丸孔３２をこの筋交い係止用ピン１４に通すと、通過時にこのストッパー１４ａが一時的に下に沈み込み、通過後ストッパー１４ａが復帰して筋交い３０が外れないようになっている。また、取外しに際しては、ストッパー１４ａを手で下げた状態にしながら、筋交い３０の丸孔３２を通過させれば簡単に外れる。
【００２３】
一方、支持枠体２０は、図３に示すように、２本の支柱パイプ２１の上端部間をパイプ状の上側横連結部材２２で、下端部間を下側横連結部材２３で連結して枠状に形成されている。特に、本実施の形態では、上側横連結部材２２の左右両端側が、支柱パイプ２１の外方にそのまま少し突設させられ上側連結部２４に形成されている。本実施の形態では、上側連結部２４は、足場板５０のフック５１が掛けられるように足場板支持部２４ａに構成され、足場板支持部２４ａの突端側に連結枠体４０との連結可能な構成が設けられている。さらに、突設された足場板支持部２４ａの端面周縁にリング状のフランジ２４ｂが設けられ、足場板５０のフック５１を足場板支持部２４ａに掛けたときに外れることがないようになっている。
【００２４】
さらには、足場板支持部２４ａの突端の端面側はそのままパイプ状などの嵌合可能な形状に構成されて、後記する連結枠体４０の上梁部材４１と連結できるように形成されている。
【００２５】
本実施の形態では、このように支柱パイプ２１の外方に突設された足場板支持部２４ａが設けられているため、支持枠体２０を連結枠体４０を介して左右に連接させて足場板５０を掛け渡す場合でも、支持枠体２０の支柱パイプ２１の両側に足場板５０のフック５１を掛け渡すことができて、隣接足場板５０間を支柱パイプ２１の幅分隙間をあけずに済む。かかる様子を図４の丸で囲んだ部分、及び図５（ａ）に示した。
【００２６】
また、本実施の形態では、支持枠体２０の支柱パイプ２１と上側横連結部材２２と下側横連結部材２３とで形成された枠内四隅に、斜めに小梁２５を設けて支持枠体２０が歪まないように補強されている。
【００２７】
さらに、支柱パイプ２１の上方側面には、筋交い３０の端部を係止できるように複数個の筋交い係止用ピン２６が、一定間隔で枠内に向けて上下方向に突設させられている。筋交い係止用ピン２６は、前記枠体支持台１０の立設用パイプ１２の側方に設けたと同じ構造に形成され、ワンタッチで筋交い３０の取付けができるようになっている。
【００２８】
次に、本実施の形態で使用する連結枠体４０について説明する。
【００２９】
連結枠体４０は、図６に示すように、上下に平行に設けたパイプ状の上梁部材４１と下梁部材４２とを、縦連結部材４３で連結してほぼ枠状に形成されている。また、斜めに補強材４４を設けて連結枠体４０が歪まないように構成されている。
【００３０】
また、本実施の形態では、上梁部材４１は、下梁部材４２より両端が短く形成され、上梁部材４１の両端部に上梁側連結部４５が構成されている。本実施の形態では、上梁側連結部４５が、上梁部材４１より小口径のパイプ状の突設部４５ａに形成され、下梁部材４２の長さに一致するまで突設させられている。
【００３１】
この突設部４５ａは、前記枠体の支柱パイプ２１の外方に突設させたパイプ状足場板支持部２４ａの内部に、挿入させられて嵌合できるようになっている。突設部４５ａを二重筒状にいっぱいに差し込んだ状態で、上側横連結部材２２の突設させた足場板支持部２４ａと、その内側に挿入した上梁部材４１の突設部４５ａとに、上方から挿通ピンＰを挿通させて支持枠体２０と連結枠体４０とが連結できるようになっている。この様子を、図５（ｂ）に示した。
【００３２】
なお、挿通ピンＰは、図３に示すように支持枠体２０に予め鎖で繋がれて吊るされており、上記のように連結時に直ぐに手に取って挿通固定ができるようになっている。
【００３３】
一方、下梁部材４２の両端側には下梁側連結部４６として締結具４６ａが設けられており、図５（ｃ）に示すように、この締結具４６ａにより支持枠体２０の支柱パイプ２１の下側を確実に把持できるようになっている。本実施の形態では、締結具４６ａとしてクランプを使用した。
【００３４】
このようにして、枠体支持台１０に支持枠体２０を立設させて形成した枠組立体６０の枠面を、図４に示すように、連結枠体４０を介して枠面が左右に平面的になるように連結して並列させることができる。
【００３５】
また、本実施の形態では、図１、４、７に示すように、足場ユニットＡを２組連結した足場本体Ｂの足場板周囲に落下防止用の手摺７０を設けるようにしたが、かかる手摺７０は足場ユニットＡを２組連結して足場本体Ｂを形成するときに取り付ければよい。
【００３６】
また、本実施の形態で使用する足場板５０は、鋼製の細長い矩形板で、その端面側両端に掛け渡し用のフック５１が設けられた従来形式のものが使用されている。
【００３７】
このようにして構成された枠体支持台１０、支持枠体２０、筋交い３０及び連結枠体４０を使用して、足場ユニットＡは次のように組み立てられる。
【００３８】
足場ユニットＡは、足場面積が広く構成されているため、図８（ａ）に示すように、足場組立体ａを２組連結して構成されるようになっている。
【００３９】
先ず、枠体支持台１０に支持枠体２０を立設させた枠組立体６０を２面用意する。本実施の形態では、枠体支持台１０と支持枠体２０との連結は、支持枠体２０の支柱パイプ２１の下端側と、枠体支持台１０の立設用パイプ１２との間に、二重筒状に差し込める連結パイプ１５を介して行っている。
【００４０】
連結パイプ１５を枠体支持台１０の立設用パイプ１２に差し込んで、図４に示すように、この連結パイプ１５と立設用パイプ１２とに挿通ピンＰを側方から挿通させて抜けないように立設固定する。次に、この立設固定した連結パイプ１５の上端を支持枠体２０の支柱パイプ２１内に二重筒状に適宜の長さに差し込んで嵌合させ、その状態で、前記同様に挿通ピンＰを支柱パイプ２１と連結パイプ１５とに挿通させて固定する。
【００４１】
連結パイプ１５の支柱パイプ２１への差し込み長さの調節により、枠体支持台１０に支持枠体２０を立設させて形成される枠組立体６０の高さ調節ができる。このようにして、枠体支持台１０に支持枠体２０を所望の高さに立設した枠組立体６０の形成ができる。
【００４２】
この枠組立体６０を２面対面立設させた状態で、枠体支持台１０の筋交い係止用ピン１４と、支持枠体２０の筋交い係止用ピン２６との間を筋交い３０で連結して固定する。本実施の形態では、定尺の筋交い３０が使用されている。このようにして、足場組立体ａが形成できる。
【００４３】
なお、本実施の形態では、後で支持枠体２０の上梁部材４１間に足場板５０を掛け渡すために、予め支持枠体２０の下側横連結部材２３間に足場板５０を掛け渡している。
【００４４】
次に、本実施の形態では、上記と同じ足場組立体ａをもう１台用意して、２組の足場組立体ａの間を、連結枠体４０で側方に連結して足場ユニットＡを組み立てる。
【００４５】
２台の足場組立体ａを側方に並列させ、その状態で２台の足場組立体ａを連結する。それぞれの足場組立体ａの枠組立体６０を構成する支持枠体２０間に、連結枠体４０を介在させる。連結枠体４０の上梁部材４１の両端側の上梁側連結部４５である突設部４５ａを、２台の足場組立体ａの支持枠体２０の上側横連結部材２２の突設側の足場板支持部２４ａの突設端側に構成された嵌合状の上側連結部２４に差し込む。その状態で、足場板支持部２４ａと突設部４５ａとに、上から挿通ピンＰを図５（ｂ）に示す要領で差し込み、２台の足場組立体ａを構成する支持枠体２０の上側横連結部材２２間を、連結枠体４０の上梁部材４１を介して連結する。
【００４６】
併せて、連結枠体４０の下梁部材４２の両端側の下梁側連結部４６である締結具４６ａで、図５（ｃ）に示す要領で、支持枠体２０の支柱パイプ２１を把持する。このようにして、連結枠体４０で左右に並列させた２面の枠組立体６０を構成する支持枠体２０を連結する。
【００４７】
このようにして、図８（ｂ）に示すように、２台の足場組立体ａを連結枠体４０を介して連結したものに、対面する支持枠体２０の相互に平行な上側横連結部材２２間、および対面する連結枠体４０の上梁部材４１間に足場板５０を掛け渡せば、足場ユニットＡが形成できる。この足場板５０の掛け渡しには、足場組立体ａの際に予め支持枠体２０の下側横連結部材２３間に掛け渡した足場板５０の上に載って作業を行えばよい。
【００４８】
このようにして形成された足場ユニットＡを、図９に示すように、２組所定間隔離して配置し、筋交い３０で連結すれば足場本体Ｂが形成できる。
【００４９】
足場本体Ｂは、図９に示した足場ユニットＡの２組を、それぞれの枠組立体面を対面立設させるように平行に配置して、平行に配置した足場ユニットＡ間を筋交い３０で連結固定して形成されている。さらに、２組の足場ユニットＡ間に足場板５０を掛け渡せばよい。図９では、かかる様子を示している。
【００５０】
このようにして、図１、図７、図１０に示すような枠組立体６０を横方向に左右に４面ずつ、且つ枠組立体６０間に連結枠体４０を４面ずつ連結させた構成の足場本体Ｂが形成できる。
【００５１】
さらに、本実施の形態では、図１０に示すように、足場本体Ｂに作業者が登れるように梯子８０が一方の枠組立体６０の上下方向に掛け渡されている。梯子８０は、梯子８０の両桁の上下両端側に係止用のフック８１を設けた従来形式のもので構わない。本実施の形態では、２脚の梯子８０が、支持枠体２０の上下の横連結部材間２２，２３と、下側横連結部材２３と枠体支持台１０のＬ字型鋼１１との間に、それぞれフック８１で掛けられている。
【００５２】
なお、梯子８０は、例えば、支持枠体２０の上側横連結部材２２と下側横連結部材２３との間に予め掛け渡して固定させておく構成でも構わない。
【００５３】
さらに、本実施の形態では、かかる構成の足場本体Ｂに手摺７０が設けられている。手摺７０は、図１に示すように、足場本体Ｂを構成する支持枠体２０の支柱パイプ２１のうち足場本体Ｂの外周部の支柱パイプ２１の上端側に立設された手摺支柱７１間に手摺桟７２を設けて構成されている。
【００５４】
本実施の形態では、手摺支柱７１は支柱パイプ２１に丁度二重筒状に差し込み可能な棒状又はパイプ状に形成され、図１１に取付け方を示すように、この手摺支柱７１の下端側を支柱パイプ２１の上端から差し込んで、その状態で支柱パイプ２１と手摺支柱７１とに挿通ピンＰを挿通させて手摺支柱７１を抜けないように支柱パイプ２１に立設させる。
【００５５】
さらに、手摺支柱７１には、その側方及び上端に、前記筋交い係止用ピン１４と同じ構成の手摺桟取付用係止ピン７３が設けられている。一方、手摺桟７２は、筋交い３０とほぼ同様の棒状に形成されており、その両端側の偏平部分の中央に、前記手摺桟取付用係止ピン７３に挿通可能な取付け孔７２ａが設けられている。この手摺桟７２の両端側の取付け孔７２ａを上記手摺桟取付用係止ピン７３に挿通させれば簡単に抜け防止が図れる手摺桟７２の取り付けができる。このようにして、図１に示すような手摺７０を設けた足場本体Ｂが、前記構成の足場ユニットＡにより簡単に構成できる。
【００５６】
本実施の形態では、上記説明のように、足場ユニットＡを２組連結して足場本体Ｂを形成するようにしたが、図１２に示すように、連結枠体４０を介して連結方向を横方向（足場板の掛け渡し方向）にとって、長く構成するようにしても構わない。また、図１３に示すように、中間の足場組立体ａを共用させた状態に組み合わせても構わない。さらには、足場ユニットＡを３組以上連結してもなんら構わない。なお、図１２、１３では、図が煩雑になって見にくくなるの防ぐため、図中本来見えるべき奥にある枠体支持台１０や筋交い３０などを一部省略してある。
【００５７】
また、足場本体Ｂも、図１４に示すように、横方向に連結枠体４０を介して複数台連結しても構わない。その他、図１５に示すように、足場ユニットＡ、足場本体Ｂの組み合わせには各種の連結方法が考えられる。
【００５８】
さらには、前記実施の形態で説明した足場組立体ａと、足場ユニットＡや足場本体Ｂとを適宜方向に連結するようにしても構わない。例えば、図１６に示すように、足場本体Ｂを２組連結したものに足場組立体ａを連結して、平面Ｌ字形状になるように構成しても構わない。かかる平面Ｌ字形状にすることにより、角部の足場構成が簡単にできる。
【００５９】
また、連結パイプ１５を使用せずに、支持枠体２０の支柱パイプ２１を直接立設用パイプ１２に、二重筒状に差し込んで組み立てるようにする構成も考えられる。
【００６０】
また、支柱パイプ２１の高さを種々違えた支持枠体２０を複数用意しておき、適宜な高さの異なる支持枠体２０を使用することにより、枠組立体６０の高さ調整を行うようにもできる。
【００６１】
また、上梁部材４１及び下梁部材４２の長さを種々変えたものを複数用意しておき、適宜な巾の異なる連結枠体４０を使用することにより、隣接枠組立体６０間の巾を調整できるようにしても構わない。さらには、上梁部材４１及び下梁部材４２を、二重筒状に伸縮自在に構成して、一つの連結枠体４０で自在に枠組立体６０間の連接巾を変えられるようにしても構わない。
【００６２】
また、上梁部材４１と下梁部材４２との上下間隔を、支持枠体２０の上側横連結部材２２と下側横連結部材２３との上下間隔に合わせておき、下側横連結部材２３の両端側を支柱パイプ２１の外方に上側横連結部材２２と同様に突設させて足場板支持部２７ａとして形成する。さらに、その端面の周縁にフランジ２７ｂを設けて、さらに端面部分を嵌合部の下側連結部２７に構成しておく。一方、連結枠体４０の下梁部材４２にも上梁部材４１と同様に下梁側連結部４６として突設部４６ｂに形成しておき、上側横連結部材２２と上梁部材４１、下側横連結部材２３と下梁部材４２とを二重筒状に嵌合させて、挿通ピンＰで固定して連結するようにしても構わない。かかる様子を、図１７に示した。
【００６３】
上側連結部２４として、上記実施の形態では、上梁部材４１の突設部４５ａを二重筒状に嵌合可能な嵌合部として形成したが、別構成も考えられる。
【００６４】
例えば、上梁部材４１に突設部４５ａを設けずに、図１８（ａ）に示すように、上梁部材４１の両端側にフランジ４１ａを設けておき、このフランジ４１ａとフランジ２４ｂとをボルト連結するようにしてもよい。
【００６５】
あるいは、足場板支持部２４ａの突設端側の上側連結部２４と、上梁部材４１の両端側の上梁側連結部４５とを、互いに嵌合可能な切欠状に構成しておき、図１８（ｂ）に示すように、両者を筒状カバーＣの両端側からそれぞれ内部に挿入して、嵌合させた状態で、筒状カバーＣの上から、両者に挿通ピンＰを通して固定するようにしても構わない。
【００６６】
また、上記実施の形態の手摺７０の内側に、足の踏み外し防止用に巾木を設けるようにしても構わない。
【００６７】
以上、本発明者によってなされた発明を実施の形態に基づき具体的に説明したが、本発明は前記の形態に限定されるものではなく、その要旨を逸脱しない範囲で種々変更可能であることはいうまでもない。
【００６８】
【発明の効果】
本願において開示される発明のうち、代表的なものによって得られる効果を簡単に説明すれば、以下のとおりである。
【００６９】
（１）．本発明の足場ユニットでは、連結枠体を介して枠組立体同士を左右に連結する構成であるため、クランプや番線などでパイプ材などを使用して枠組立体同士を直接連結する場合に比べて、より簡単に、且つ堅固に枠組立体同士を連結することができる。
【００７０】
（２）．本発明の足場ユニットを使用すれば、現場でパイプ材をその都度組み立てる場合に比べて簡単に足場組立が形成できる。併せて、分解も容易である。
【００７１】
（３）．本発明の足場組立用ユニットを複数組連結することにより、足場本体が簡単に構成できる。
【００７２】
（４）．本発明の構成では、特に足場板を掛け渡す支持枠体の上側横連結部材が支柱の外方に足場板支持部を形成するように突設させらているので、足場板のフックの一方をその足場板支持部側にかかるように足場板の掛け渡しができる。
【００７３】
そのため、例えば、枠組立体の支柱を間に挟んだ状態で足場板を隣接させる場合でも、従来では支柱の幅分隣接足場板同士の間に隙間が発生するのに対して、本発明ではかかる場合でも隣接足場板同士を隙間なく掛け渡すことかできる。
【図面の簡単な説明】
【図１】本発明の足場本体の斜視図である。
【図２】（ａ）は、本実施の形態の枠体支持台の正面斜視図である。（ｂ）は、本実施の形態の枠体支持台の背面斜視図である。（ｃ）は、筋交い係止用ピンと筋交いの連結状況を示す部分組立図である。
【図３】本実施の形態の支持枠体の正面図である。
【図４】２組の足場組立体を連結枠体を介して連結した状態を示す正面図である。
【図５】（ａ）は、図４の丸で囲んだ部分の上面から見た様子を示す部分拡大平面図である。（ｂ）は、支持枠体の上側横連結部材の突設側と、連結枠体の上梁部材との連結状況を示す部分断面図である。（ｃ）は、連結枠体の下梁部材の支持枠体の支柱パイプへの取付け状況を示す部分正面図である。
【図６】本実施の形態の連結枠体の正面図である。
【図７】（ａ）は、本実施の形態の足場本体の上から見た平面図である。（ｂ）は、本実施の形態の足場本体の側面図である。
【図８】（ａ）は、本実施の形態の足場組立体示す斜視図である。（ｂ）は、２組の足場組立体を横に連結枠体を使用して連結した様子を示す斜視図である。
【図９】２組の足場ユニットを筋交いで連結して足場本体を構成する様子を示した斜視図である。
【図１０】手摺を設ける前の本実施の形態の足場本体の斜視図である。
【図１１】手摺の組立要領を示す部分組立図である。
【図１２】足場ユニットを横方向に連結した様子を示す斜視図である。
【図１３】足場ユニットを横方向に連結した様子を示す斜視図である。
【図１４】足場本体を横方向に連結した様子を示す斜視図である。
【図１５】（ａ）は、足場ユニットの縦方向の連結状況の上からの平面図である。（ｂ）は、足場本体と足場ユニットとの連結状況の上からの平面図である。
【図１６】足場本体と足場組立体との連結状況を示す斜視図である。
【図１７】支持枠体と連結枠体との連結方法の変形例を示す部分側面図である。
【図１８】（ａ）は、上側連結部と上梁側連結部との連結方法の変形例を示す部分側面図である。（ｂ）は、上側連結部と上梁側連結部との連結方法の変形例を示す部分斜視図である。
【符号の説明】
１０    枠体支持台
１１    Ｌ字型鋼
１１ａ  水平フランジ
１２    立設用パイプ
１３    車輪
１３ａ  ナット
１４    筋交い係止用ピン
１５    連結パイプ
２０    支持枠体
２１    支柱パイプ
２２    上側横連結部材
２３    下側横連結部材
２４    上側連結部
２４ａ  足場板支持部
２４ｂ  フランジ
２５    小梁
２６    筋交い係止用ピン
２７    下側連結部
２７ａ  足場板支持部
２７ｂ  フランジ
３０    筋交い
３１    偏平部分
３２    丸孔
４０    連結枠体
４１    上梁部材
４１ａ  フランジ
４２    下梁部材
４３    縦連結部材
４４    補強材
４５    上梁側連結部
４５ａ  突設部
４６    下梁側連結部
４６ａ  締結具
４６ｂ  突設部
５０    足場板
５１    フック
６０    枠組立体
７０    手摺
７１    手摺支柱
７２    手摺桟
７２ａ  孔
７３    手摺桟取付用係止ピン
８０    梯子
８１    フック
Ａ      足場ユニット
ａ      足場組立体
Ｂ      足場本体
Ｐ      挿通ピン
【図１】
0003878277.tif 000002
【図２】
0003878277.tif 000003
【図３】
0003878277.tif 000004
【図４】
0003878277.tif 000005
【図５】
0003878277.tif 000006
【図６】
0003878277.tif 000007
【図７】
0003878277.tif 000008
【図８】
0003878277.tif 000009
【図９】
0003878277.tif 000010
【図１０】
0003878277.tif 000011
【図１１】
0003878277.tif 000012
【図１２】
0003878277.tif 000013
【図１３】
0003878277.tif 000014
【図１４】
0003878277.tif 000015
【図１５】
0003878277.tif 000016
【図１６】
0003878277.tif 000017
【図１７】
0003878277.tif 000018
【図１８】
0003878277.tif 000019